(57)【要約】【課題】扉に給電配線しなくても電源と非接触でＬＥＤに給電して点灯可能とする。【解決手段】扉に取り付けた光源が、扉が閉じると点灯し、開くと消灯するようにした電磁誘導式の点灯装置において、光源が扉又は扉の取っ手に取り付けられ、電磁誘導用の誘起コイルは扉、扉取り付け治具等の可動側に取り付けられ、電磁誘導用の給電コイルは扉を閉じると誘起コイルと接近し、扉を開くと誘起コイルと離れる柱、扉枠、扉取り付け治具等の対峙側に取り付けられ、前記給電コイルと誘起コイルは扉が閉じた状態で互いに非接触で接近して、給電コイルに供給される電源により前記非接触の誘起コイルに誘導電流が誘起されて当該誘導電流により前記光源が点灯し、扉が開いて給電コイルと誘起コイルが離れると、前記誘導電流が遮断されて光源が消灯するようにした。【選択図】図１
2016191287.tif 000002
【特許請求の範囲】
【請求項１】
扉に取り付けた光源が、扉が閉じると点灯し、開くと消灯するようにした電磁誘導式の点灯装置において、
光源が扉又は扉の取っ手に取り付けられ、
電磁誘導用の誘起コイルは扉、扉取り付け治具等の可動側に取り付けられ、
電磁誘導用の給電コイルは扉を閉じると誘起コイルと接近し、扉を開くと誘起コイルと離れる柱、扉枠、扉取り付け治具等の対峙側に取り付けられ、
前記給電コイルと誘起コイルは扉が閉じた状態で互いに非接触で接近して、給電コイルに供給される電源により前記非接触の誘起コイルに誘導電流が誘起されて当該誘導電流により前記光源が点灯し、扉が開いて給電コイルと誘起コイルが離れると、前記誘導電流が遮断されて光源が消灯するようにした、
ことを特徴とする扉点灯装置。
【請求項２】
請求項１記載の扉点灯装置において、
扉取り付け治具が蝶番であり、蝶番は扉の開閉に伴って可動するように扉に連結される可動側と、扉の閉時に可動側と接近し扉の開時に可動側と離れる対峙側を備え、
可動側に誘起コイルが、対峙側に給電コイルが取り付けられ、扉が閉じて可動側が対峙側に接近すると前記給電コイルと誘起コイルが非接触で接近して、給電コイルに給電される電源により前記非接触の誘起コイルに誘導電流が誘起されて当該誘導電流により光源が点灯し、扉が開いて前記両羽が離れると前記給電コイルと誘起コイルが離れて、前記誘導電流が遮断されて光源が消灯するようにした、
ことを特徴とする扉点灯装置。
【請求項３】
請求項２記載の扉点灯装置において、
蝶番が少なくとも二枚の羽と、夫々の羽と連動する軸筒と、それら軸筒に差し込んで両羽を連結する芯棒を備えたものであり、
一方の羽が対峙側に取り付けられ、他方の羽が扉に取り付けられて前記扉が開閉可能に連結され、
給電コイルが対峙側の羽に、誘起コイルが扉側の羽に取り付けられて、扉が閉じて前記両羽が接近すると前記給電コイルと誘起コイルが非接触で接近して、給電コイルに給電される電源により前記非接触の誘起コイルに誘導電流が誘起されて当該誘導電流により光源が点灯し、
扉が開いて前記両羽が離れると前記給電コイルと誘起コイルが離れて、前記誘導電流が遮断されて光源が消灯するようにした、
ことを特徴とする扉点灯装置。
【請求項４】
請求項２記載の扉点灯装置において、
蝶番が少なくとも二枚の羽と、夫々の羽と連動する軸筒と、それら軸筒に差し込んで両羽を連結する芯棒を備えたものであり、
一方の羽が対峙側に取り付けられ、他方の羽が扉に取り付けられて前記扉が開閉可能に連結され、
給電コイルが対峙側の軸筒に、誘起コイルが扉側の軸筒に装備され、扉が閉じて前記両軸筒が接近すると前記給電コイルと誘起コイルが非接触で接近して、給電コイルに給電される電源により前記非接触の誘起コイルに誘導電流が誘起されて当該誘導電流により光源が点灯し、
扉が開いて前記両軸筒が離れると前記給電コイルと誘起コイルが離れて、前記誘導電流が遮断されて光源が消灯するようにした、
ことを特徴とする扉点灯装置。
【請求項５】
請求項２記載の扉点灯装置において、
蝶番が少なくとも二枚の羽と、夫々の羽と連動する軸筒と、それら軸筒に差し込んで両羽を連結する芯棒を備えたものであり、
一方の羽が対峙側に取り付けられ、他方の羽が扉に取り付けられて前記扉が開閉可能に連結され、
給電コイルが蝶番の芯棒に、誘起コイルが扉側の軸筒に装備され、扉が閉じて前記芯棒と軸筒が接近すると前記給電コイルと誘起コイルが非接触で接近して、給電コイルに給電される電源により前記非接触の誘起コイルに誘導電流が誘起されて当該誘導電流により光源が点灯し、
扉が開いて前記芯棒と軸筒が離れると前記給電コイルと誘起コイルが離れて、前記誘導電流が遮断されて光源が消灯するようにした、
ことを特徴とする扉点灯装置。
【請求項６】
請求項２記載の扉点灯装置において、
蝶番が少なくとも二枚の羽と、夫々の羽と連動する軸筒と、それら軸筒に差し込んで両羽を連結する芯棒を備えたものであり、
一方の羽が対峙側に取り付けられ、他方の羽が扉に取り付けられて前記扉が開閉可能に連結され、
給電コイルが対峙側の羽に、誘起コイルが扉側の軸筒に装備され、扉が閉じて前記羽と軸筒が接近すると前記給電コイルと誘起コイルが非接触で接近して、給電コイルに給電される電源により前記非接触の誘起コイルに誘導電流が誘起されて当該誘導電流により光源が点灯し、
扉が開いて前記羽と軸筒が離れると前記給電コイルと誘起コイルが離れて、前記誘導電流が遮断されて光源が消灯するようにした、
ことを特徴とする扉点灯装置。
【請求項７】
請求項２記載の扉点灯装置において、
蝶番が少なくとも二枚の羽と、夫々の羽と連動する軸筒と、それら軸筒に差し込んで両羽を連結する芯棒を備えたものであり、
一方の羽が対峙側に取り付けられ、他方の羽が扉に取り付けられて前記扉が開閉可能に連結され、
給電コイルが対峙側の軸筒に、誘起コイルが扉側の羽に装備され、扉が閉じて前記軸筒と羽が接近すると前記給電コイルと誘起コイルが非接触で接近して、給電コイルに給電される電源により前記非接触の誘起コイルに誘導電流が誘起されて当該誘導電流により光源が点灯し、
扉が開いて前記軸筒と羽が離れると前記給電コイルと誘起コイルが離れて、前記誘導電流が遮断されて光源が消灯するようにした、
ことを特徴とする扉点灯装置。
【請求項８】
請求項１から請求項７のいずれか１項に記載の扉点灯装置において、
誘起コイルは少なくとも受電に必要な電気回路基板や電子部品と共にケース内に収容されて送電ユニットにし、
給電コイルは少なくとも給電に必要な電気回路基板や電子部品と共にケース内に収容されて給電ユニットにし、
前記受電ユニットが可動側に、給電ユニットが対峙側に装備された、
ことを特徴とする扉点灯装置。
【請求項９】
請求項１から請求項８のいずれか１項に記載の扉点灯装置において、
給電コイルと誘起コイルの双方又はいずれか一方が、湾曲しているか又は湾曲可能な可撓性を備えたものである、
ことを特徴とする扉点灯装置。
【請求項１０】
請求項１から請求項９のいずれか１項に記載の扉点灯装置において、
対峙側に外部電源と接続可能なコネクタを備え、コネクタが対峙側の内部又は外部に設けられた、
ことを特徴とする扉点灯装置。
【請求項１１】
請求項１から請求項１０のいずれか１項に記載の扉点灯装置において、
光源と誘起コイルを結ぶ給電線が、扉と取っ手の双方又はいずれか一方の内部に配線されて外部から視認できないようにした、
ことを特徴とする扉点灯装置。
【請求項１２】
請求項１から請求項１１のいずれか１項に記載の扉点灯装置において、
誘導電流を二次電池に充電し、ＡＣ電源の停電時に、二次電池からの給電に自動的に切り替わって、二次電池から光源に電源供給されて、光源が点灯するようにした、
ことを特徴とする扉点灯装置。
【発明の詳細な説明】
【技術分野】
【０００１】
本発明は建物、建具等の開き戸（片開き戸、両開き戸（観音扉））、引き戸、折戸、引込み扉、回転扉等の各種扉（以下、これらを「扉」という。）の点灯装置に関する。
【背景技術】
【０００２】
近年、建物の扉の在り処を示すため、或いは非常時の照明のため、或いは装飾のために、ドアのノブにＬＥＤを取り付けた照明装置（特許文献１、２）がある。
【０００３】
特許文献１、２は、ドアのノブに取付けた照明装置に給電するための配線が必要であるが、ドアが動く（開閉する）ため、ノブへの配線が煩雑になり面倒である。電源電池を使用する場合は電池交換が必要であり、管理が面倒である。
【先行技術文献】
【特許文献】
【０００４】
【特許文献１】実開平２−０１８０７０号公報
【特許文献２】特開平１０−１０８７５１号公報
【発明の概要】
【発明が解決しようとする課題】
【０００５】
本発明の扉点灯装置は、扉に、給電配線しなくても、電源と非接触で光源に給電して点灯可能とすることにある。
【課題を解決するための手段】
【０００６】
（扉点灯装置）
本発明の扉点灯装置は、扉に取り付けた光源が、扉が閉じると点灯し、開くと消灯するようにした電磁誘導式の点灯装置において、光源が扉又は扉の取っ手に取り付けられ、電磁誘導用の誘起コイルは扉、扉取り付け治具等の可動側に取り付けられ、電磁誘導用の給電コイルは扉を閉じると誘起コイルと接近し、扉を開くと誘起コイルと離れる柱、扉枠、扉取り付け治具等の対峙側に取り付けられ、前記給電コイルと誘起コイルは扉が閉じた状態で互いに非接触で接近して、給電コイルに供給される電源により前記非接触の誘起コイルに誘導電流が誘起されて当該誘導電流により前記光源が点灯し、扉が開いて給電コイルと誘起コイルが離れると、前記誘導電流が遮断されて光源が消灯するようにしたものである。
【０００７】
（蝶番への誘起コイル、給電コイルの取り付け構造１）
扉取り付け治具が蝶番の場合に、扉の開閉に伴って可動するように扉に連結される可動側と、扉の閉時に可動側と接近し扉の開時に可動側と離れる対峙側を備え、可動側に誘起コイルが、対峙側に給電コイルが取り付けられ、扉が閉じて可動側が対峙側に接近すると前記給電コイルと誘起コイルが非接触で接近して、給電コイルに給電される電源により前記非接触の誘起コイルに誘導電流が誘起されて当該誘導電流により光源が点灯し、扉が開いて前記両羽が離れると前記給電コイルと誘起コイルが離れて、前記誘導電流が遮断されて光源が消灯するようにしたものと、することができる。
【０００８】
（蝶番への誘起コイル、給電コイルの取り付け構造２）
扉取り付け治具が蝶番の場合に、蝶番が少なくとも二枚の羽と、夫々の羽と連動する軸筒と、それら軸筒に差し込んで両羽を連結する芯棒を備えたものであり、一方の羽が対峙側に取り付けられ、他方の羽が扉に取り付けられて前記扉が開閉可能に連結され、給電コイルが対峙側の羽に、誘起コイルが扉側の羽に取り付けられて、扉が閉じて前記両羽が接近すると前記給電コイルと誘起コイルが非接触で接近して、給電コイルに給電される電源により前記非接触の誘起コイルに誘導電流が誘起されて当該誘導電流により光源が点灯し、扉が開いて前記両羽が離れると前記給電コイルと誘起コイルが離れて、前記誘導電流が遮断されて光源が消灯するようにしたものとすることができる。
【０００９】
（蝶番への誘起コイル、給電コイルの取り付け構造３）
扉取り付け治具が蝶番の場合に、給電コイルが対峙側の軸筒に、誘起コイルが扉側の軸筒に装備され、扉が閉じて前記両軸筒が接近すると前記給電コイルと誘起コイルが非接触で接近して、給電コイルに給電される電源により前記非接触の誘起コイルに誘導電流が誘起されて当該誘導電流により光源が点灯し、扉が開いて前記両軸筒が離れると前記給電コイルと誘起コイルが離れて、前記誘導電流が遮断されて光源が消灯するようにしたものとすることもできる。
【００１０】
（蝶番への誘起コイル、給電コイルの取り付け構造４）
扉取り付け治具が蝶番の場合に、給電コイルが蝶番の芯棒に、誘起コイルが扉側の軸筒に装備され、扉が閉じて前記芯棒と軸筒が接近すると前記給電コイルと誘起コイルが非接触で接近して、給電コイルに給電される電源により前記非接触の誘起コイルに誘導電流が誘起されて当該誘導電流により光源が点灯し、扉が開いて前記芯棒と軸筒が離れると前記給電コイルと誘起コイルが離れて、前記誘導電流が遮断されて光源が消灯するようにしたものとすることもできる。
【００１１】
（蝶番への誘起コイル、給電コイルの取り付け構造５）
扉取り付け治具が蝶番の場合に、給電コイルが対峙側の羽に、誘起コイルが扉側の軸筒に装備され、扉が閉じて前記羽と軸筒が接近すると前記給電コイルと誘起コイルが非接触で接近して、給電コイルに給電される電源により前記非接触の誘起コイルに誘導電流が誘起されて当該誘導電流により光源が点灯し、扉が開いて前記羽と軸筒が離れると前記給電コイルと誘起コイルが離れて、前記誘導電流が遮断されて光源が消灯するようにしたものとすることもできる。
【００１２】
（蝶番への誘起コイル、給電コイルの取り付け構造６）
扉取り付け治具が蝶番の場合に、給電コイルが対峙側の軸筒に、誘起コイルが扉側の羽に装備され、扉が閉じて前記軸筒と羽が接近すると前記給電コイルと誘起コイルが非接触で接近して、給電コイルに給電される電源により前記非接触の誘起コイルに誘導電流が誘起されて当該誘導電流により光源が点灯し、扉が開いて前記軸筒と羽が離れると前記給電コイルと誘起コイルが離れて、前記誘導電流が遮断されて光源が消灯するようにしたものとすることもできる。
【００１３】
（誘起コイル、給電コイルのユニット化）
前記扉点灯装置の誘起コイルは少なくとも受電に必要な電気回路基板や電子部品と共にケース内に収容されて受電ユニットにし、給電コイルは少なくとも給電に必要な電気回路基板や電子部品と共にケース内に収容されて給電ユニットにし、前記受電ユニットが可動側に、給電ユニットが対峙側に装備されたものであってもよい。
【００１４】
給電コイルと誘起コイルの双方又はいずれか一方は、湾曲しているか又は湾曲可能な可撓性を備えたものとして、蝶番の芯棒の外周面、軸筒の内周面といった湾曲部に容易に取り付け可能とすることができる。
【００１５】
（外部電源）
前記扉点灯装置は、対峙側に外部電源（商用電源を光源の駆動に適した電圧に変換した電源）と接続可能なコネクタを備えたものである。コネクタは対峙側の内部又は外部に設けることができる。
【００１６】
（配線構造）
前記扉点灯装置は、光源と誘起コイルを結ぶ給電線が、扉と取っ手の双方又はいずれか一方の内部に配線されて外部から視認できないようにすることができる。
【００１７】
（バッテリ）
前記扉点灯装置は、誘導電流を二次電池（バッテリ）に充電し、商用電源の停電時（給電コイルへの給電停止時）に、バッテリからの給電に自動的に切り替わって、バッテリから光源に電源供給されて、光源が点灯するようにすることもできる。
【発明の効果】
【００１８】
（１）扉に電源線を配線せず、扉と対峙側が非接触であっても、扉が対峙側と対向していれば、給電コイルに給電するだけで光源が点灯するので、扉に電源線を配線する面倒がない。
（２）誘起コイル、給電コイルの夫々がユニット化されている場合は、扉、対峙側へのユニットの取り付けが容易にできる。
（３）給電コイルと誘起コイルが蝶番に装備されている場合は、給電コイルへの電源線、誘起コイルから光源への給電線を蝶番の近くに配線でき、それら配線が煩雑にならない。
（４）夫々のコイルが湾曲しているか又は湾曲可能な可撓性を備えている場合は、蝶番の芯棒の外周、軸筒内への取り付けが容易にできる。
（５）給電器が外部電源と接続可能なコネクタを備えていれば、そのコネクタに外部電源を接続するだけで給電可能となる。
（６）誘起コイルと光源の給電線を扉と取っ手の双方又はいずれか一方の内部に施工すれば、配線が外部に出ることがなく体裁が良い。給電線を外部から視認できないケース内に収容して施工すれば、配線が外部から見えず体裁が良い。
（７）誘導電流を二次電池（バッテリ）に充電可能とすれば、停電時にバッテリの電源で光源を点灯できるので、停電時の避難誘導などに便利である。
【図面の簡単な説明】
【００１９】
【図１】本発明の扉点灯装置を装備した片開き戸の一例を示す正面概要図。
【図２】本発明の扉点灯装置を装備した片開き戸を開いた状態の一例を示す概要図。
【図３】本発明の扉点灯装置を装備した蝶番の一例を示すものであり、（ａ）は蝶番を開いた場合の説明図、（ｂ）は蝶番を閉じた場合の説明図。
【図４】本発明の扉点灯装置を装備した蝶番の他例を示すものであり、（ａ）は蝶番を開いた場合の説明図、（ｂ）は蝶番を閉じた場合の説明図。
【図５】本発明の扉点灯装置を装備したドアノブの一例を示す説明図。
【図６】本発明の扉点灯装置を装備した観音扉（両開き戸）の一例を示す平面概要図。
【図７】本発明の扉点灯装置を装備した引き戸の一例を示す平面概要図。
【発明を実施するための形態】
【００２０】
本発明の扉点灯装置を装備した扉の一例を、図１、図２を参照して説明する。本発明の光源は、扉や取っ手に取り付け可能な小型、薄型であり、発光できるものであればＬＥＤ、有機ＥＬ、液晶、その他の発光のいずれであっても良いが、以下の説明ではＬＥＤの場合を一例として説明する。
【００２１】
（実施形態１：開き戸）
本発明の扉点灯装置の扉１は、片開き戸、引き戸、両開き戸、その他の戸のいずれであってもよいが、以下に、片開き戸の場合を一例として説明する。片開き戸、両開き戸等の開き戸は、柱、枠などの対向部（対峙側）２に扉取り付け治具で開閉可能に取り付けることができるが、以下の説明では、扉取り付け治具として蝶番（丁番）３を使用する場合を一例として説明する。
【００２２】
図１、図２は扉が片開き戸の場合である。この扉（可動側）１は汎用の片開き戸と同様に、柱、枠などの対向部（対峙側）２に扉取り付け治具（蝶番）３で開閉可能に取り付けられている。片開き戸１の開閉側に縦長筒状のハンドル（取っ手）４が取り付けられている。取っ手４は縦長の透光性樹脂製のパイプ４ａの上下両端側に金属製のカバー４ｂを被せてあり、パイプ４ａの下端側にＬＥＤ５（図２）を収容固定し、パイプ４ａの内面を凹凸或いは反射式の導光構造（光拡散構造）にして、ＬＥＤ５から上方に向けて出射されるＬＥＤ光がパイプ４ａ内で拡散されてパイプ４ａの内部全面全長から外部に照射されるようにしてある。ＬＥＤ５はパイプ４ａの上端側に収容固定して、ＬＥＤ光が下向きに出射されるようにすることもできる。
【００２３】
図２のように、片開き戸１の開閉端部１ａには受信器（受電器）６が装備され、対峙側２であって片開き戸１の開閉端部１ａと対向する端部（対峙側端部）２ａに送信機（給電器）７が装備されて、受電器６の誘起コイル６ａと給電器７の給電コイル７ａが誘導結合できる近さで対向配置されている。
【００２４】
［受電ユニット、給電ユニット］
受電器６は図２のように誘起コイル６ａ、回路基板６ｂ等を備えており、回路基板６ｂには受電に必要な回路、例えば、整流回路、電圧変換回路、それら回路構成に必要な電子部品や機器等が組み込まれており、ＬＥＤ５にその駆動に適したＤＣ電流が供給できるようにしてある。それら回路基板６ｂ、電子部品等は誘起コイル６ａと共に一つのケース８に内装して受電ユニット９とし、その受電ユニット９を片開き戸１の開閉端部１ａに開口した収容凹部内に収容固定してある。
【００２５】
給電器７は図２のように給電コイル７ａ、回路基板７ｂ等を備えており、回路基板７ｂには送電に必要な回路、例えば、電源回路、その回路構成に必要な電子部品や機器等が組み込まれている。それら回路基板７ｂ、電子部品等は給電コイル７ａと共に一つのケース１０に内装して給電ユニット１１とし、その給電ユニット１１を扉１と対向する対峙側端部２ａに開口した収容凹部内に収容固定してある。
【００２６】
前記受電器６のケース８、給電器７のケース１０は樹脂製、ゴム製といった絶縁性のものが望ましい。
【００２７】
図１、図２の受電器６とＬＥＤ５の間には給電線１２が配線されている。受電器６の誘起コイル６ａに誘起された電流（誘導電流）は前記給電線１２によりＬＥＤ５に供給される。誘導電流は直に又は受電器６においてＬＥＤ５の駆動に必要な電圧、電流に変換されてＬＥＤ５に供給されるようにしてある。給電器７には電源線１３が配線されている。外部電源には５Ｖ、１２Ｖ、２４Ｖ程度のパルス電圧とか他の適宜の電源を使用することができる。
【００２８】
［図１、図２の動作：ＬＥＤの発光］
図１、図２のように収容固定された受電ユニット９と給電ユニット１１は、片開き戸１を閉じると誘起コイル６ａと給電コイル７ａが誘導結合可能な間隔をあけて非接触で対向し、片開き戸１を開くと誘起コイル６ａと給電コイル７ａが離れる（対向しなくなる）ようにしてある。前記対向状態（扉が閉じている状態）で、給電コイル７ａに電源供給する（電流を流す）と、誘起コイル６ａと給電コイル７ａの電磁誘導により誘起コイル６ａに誘導電流が誘起され、ＬＥＤ５に電流が供給されてＬＥＤ５が発光する。ＬＥＤ光はパイプ４ａの内面の光拡散構造により拡散されて、パイプ４ａの全面全長から外部に照射される。前記片開き戸１を開くと誘起コイル６ａと給電コイル７ａの対向がずれて（離れて）、誘導電流の誘起が停止して、ＬＥＤ５が消灯するようにしてある。
【００２９】
［蝶番］
蝶番３は、扉１の開閉に伴って可動するように扉１に連結される可動側と、扉の閉時に可動側と接近し扉の開時に可動側と離れる対峙側を備え、可動側に誘起コイルが、対峙側に給電コイルが取り付けられ、扉が閉じて可動側が対峙側に接近すると前記給電コイルと誘起コイルが非接触で接近して、給電コイルに給電される電源により前記非接触の誘起コイルに誘導電流が誘起されて当該誘導電流により光源が点灯し、扉が開いて前記両羽が離れると前記給電コイルと誘起コイルが離れて、前記誘導電流が遮断されて光源が消灯するようにすることができる。
【００３０】
図１の片開き戸１は、対峙側２に蝶番３により開閉可能に連結されている。蝶番３は図３（ａ）（ｂ）に示すように、二枚の羽１４、１５の夫々に軸筒１４ａ、１５ａがあり、それら軸筒１４ａ、１５ａに芯棒３ａが抜け落ちないように差し込まれて、二枚の羽１４、１５が開閉可能となっており、前記羽１４、１５の一方が片開き戸１に連結固定され、他方が対峙側２（図１）に連結固定されて、片開き戸１が開閉できるようにしてある。
【００３１】
図３（ａ）のように、蝶番３の芯棒３ａの外周に給電コイル７ａを取り付け、軸筒１５ａの内周面に誘起コイル６ａを取り付けて、図３（ｂ）のように、二枚の羽１４、１５が閉じている（扉１が閉じている）ときに、両コイル６ａ、７ａが誘導結合可能な間隔をあけて非接触で対向するようにしてある。
【００３２】
給電コイル７ａは芯棒３ａの外周面の一部に凹部を設けて、その凹部内に収容固定することもできる。誘起コイル６ａは軸筒１５ａの内周面の一部に凹部を設けて、その凹部に収容固定することもできる。それら凹部に収容固定することにより、給電コイル７ａ、誘起コイル６ａが接触せず、擦れて摩耗することがない。誘起コイル６ａは軸筒１４ａ、１５ａの内径に合わせて湾曲可能とするか、予め、その内径に合わせて湾曲させて成形しておくことができる。給電コイル７ａは芯棒３ａの外径に合わせて湾曲可能とするか、予め、その芯棒３ａの外径に合わせて湾曲させて成形しておくことができる。
【００３３】
前記芯棒３ａの凹部には給電ユニット１１を収容内固定し、前記軸筒１５ｂの凹部には受電ユニット９を収容固定することもできる。いずれの場合も、給電コイル７ａには外部電源を供給できるようにする。給電線１２（図２）は、芯棒３ａ内に孔を開けて挿通させるとか、他の方法で配線する。給電コイル７ａは対峙側２の蝶番３の羽１４の軸筒１４ａに、誘起コイル６ａは扉１の蝶番３の羽１５の軸筒１５ａに取り付けることもできる。
【００３４】
図４（ａ）は蝶番の一方の羽１５が扉１に取り付けられ、他方の羽１４が対峙側２（図１）に取り付けられるものであり、対峙側２の羽１４に給電コイル７ａが取り付けられ、扉（可動側）１の羽１５に誘起コイル６ａが取り付けられている。給電コイル７ａと誘起コイル６ａは扉１が閉じると図４（ｂ）のように接近（対向）し、両コイル６ａ、７ａが電磁結合して励起コイル６ａに誘導電流が誘起されて光源が点灯し、扉１が開くと図４（ａ）のように離れて誘導電流が遮断されて光源が消灯する。
【００３５】
本発明では、対峙側２の羽に給電コイル７ａを、可動側１の軸筒に励起コイル６ａを取り付けて、扉の開閉により光源が点灯、消灯するようにすることもできる。また、対峙側２の軸筒に給電コイル７ａを、可動側１の羽に励起コイル６ａを取り付けて、扉の開閉により光源が点灯、消灯するようにすることもできる。
【００３６】
本発明では、蝶番３が旗蝶番（図示せず）の場合も、旗蝶番の芯棒に給電コイル７ａを、可動側１の軸筒に励起コイル６ａを取り付けて、扉の開閉により光源が点灯、消灯するようにすることもできる。また、対峙側２の羽に給電コイル７ａを、可動側１の羽に励起コイル６ａを取り付けて、それら両羽の開閉（扉の開閉）により光源が点灯、消灯するようにすることも、対峙側２の軸筒に給電コイル７ａを、可動側１の軸筒に励起コイル６ａを取り付けて、それら両軸筒が扉の開閉により光源が点灯、消灯するようにすることも、対峙側２の羽に給電コイル７ａを、可動側１の軸筒に励起コイル６ａを取り付けて、扉の開閉により光源が点灯、消灯するようにすることも、対峙側２の軸筒に給電コイル７ａを、可動側１の羽に励起コイル６ａを取り付けて、扉の開閉により光源が点灯、消灯するようにすることもできる。
【００３７】
［ドアノブ］
取っ手４は図１、図２に示す以外の形状、構造であってもよい。図５に示すようなドアノブであってもよい。この取っ手（ドアノブ）４は、汎用のドアノブと同様に、矢印方向のいずれか一方に回転させると扉１が対峙側２にロックされ、逆回転させるとロックが解除されるようにしてある。本発明ではこの取っ手４の回転軸１６の外周の筒部１７の周方向任意箇所にＬＥＤ５を取り付けることができる。この場合、筒部１７の全周又は周方向一部を透光部として、ＬＥＤ光がその透光部から外部に出射されるようにする。ＬＥＤ５への配線は扉１内又はドアノブ４の回転軸１６内を通して行うことができる。
【００３８】
図１に示すように、対峙側２には外部電源を接続可能なコネクタ１８が接続されている。コネクタ１８は対峙側２に内蔵することもできる。
【００３９】
（実施形態２：観音扉）
本発明における扉は観音扉（両開き戸）であってもよい。図６に観音扉の一例を示す。図６の扉（観音扉）１は左右二つの対峙側２の夫々に蝶番３で開閉可能に取り付けてある。対峙側２は柱或いは取り付け枠等である。
【００４０】
図６では２枚の観音扉１の夫々に取っ手４を取り付けてある。夫々の取っ手４には図１の場合と同様にＬＥＤ（図示せず）が内蔵されている。ＬＥＤの取り付け箇所は取っ手４内ではなく、取っ手４の近くであってもよい。一方の観音扉１の対向箇所には受電ユニット９が取り付けられ、他方の観音扉１の対向箇所には給電ユニット１１が取り付けられて、給電ユニット１１の給電コイル（図示せず）と、受電ユニット９の誘起コイル（図示せず）が対向配置されて、誘導結合できるようにしてある。一方の観音扉１のＬＥＤと受電ユニット９の間、他方の観音扉１のＬＥＤと給電ユニット１１の間の夫々には給電線１２が配線され、この観音扉１内には電源線１３が配線されている。電源線１３には外部電源を接続可能なコネクタ１８が接続されている。コネクタ１８は対峙側２に内蔵することもできる。
【００４１】
（実施形態３：引き戸）
本発明における扉は引き戸であってもよい。図７に引き戸の一例を示す。図７は左右の対峙側（例えば柱）２の間に、引き戸（スライド扉）１を建てつけたものであり、引き戸１は図７の左右にスライド可能である。
【００４２】
図７では２枚の扉１の夫々のスライド方向一端に設けられている引き手（手掛け具：図示せず）又はその近くにＬＥＤ（図示せず）を取り付けてある。また、図７の左側の引き戸１の右側端部には受電ユニット９が取り付けられており、この受電ユニット９と前記ＬＥＤ５の間に給電線１２が配線されている。図７の右側の引き戸１の左側端部には給電ユニット１１が取り付けられている。この給電ユニット１１と右側の引き戸１のＬＥＤとの間に給電線１２を配線してある。前記受電ユニット９の誘起コイル（図示せず）と給電ユニット１１の給電コイル（図示せず）は対向配置されて誘導結合できるようにしてある。
【００４３】
更に、図７の右側の引き戸１の右側端部には受電ユニット９が取り付けられ、図７の右側の対峙側２には給電ユニット１１が取付けられ、その給電ユニット１１の給電コイル（図示せず）と受電ユニット９の誘起コイル（図示せず）が誘導結合できるように対向配置されている。図７の右側の対峙側２には給電ユニット１１には電源線１３が配線されており、この電源線１３にコネクタ１８が配線されている。このコネクタ１８は対峙側２に内蔵することもできる。
【００４４】
（バッテリ）
本発明では、誘導電流をバッテリ（二次電池）に充電しておくこともできる。この場合は、商用電源が停電の場合に、バッテリからの給電に自動的に切り替わって、バッテリからＬＥＤに電源供給されるようにすることもできる。これにより、停電時でもＬＥＤが点灯して取っ手の在り処がわかる。また、そのＬＥＤ光で周囲が照明されて、避難誘導照明としても使用できる。リチウム電池、ニッケル水素電池等の小型で充電容量の大きなものを使用するのが適する。
【産業上の利用可能性】
【００４５】
本発明の扉点灯装置の扉、取っ手の形状、構造は前記説明以外の形状、構造であってもよい。取っ手、ＬＥＤの取り付け位置も前記図示、説明以外の箇所であってもよく、配線箇所等も前記図示、説明以外であってよい。引き戸の場合は、戸が三枚以上であってもよい。
【符号の説明】
【００４６】
１      扉（可動側）
１ａ    開閉端部
２      対峙側
２ａ    対峙側端部
３      蝶番
３ａ    芯棒
４      取っ手（ドアノブ）
４ａ    パイプ
４ｂ    カバー
５      ＬＥＤ（光源）
６      受信器（受電器）
６ａ    誘起コイル
６ｂ    回路基板
７      送信機（給電器）
７ａ    給電コイル
７ｂ    回路基板
８      （受電ユニットの）ケース
９      受電ユニット
１０  （給電ユニットの）ケース
１１    給電ユニット
１２    給電線
１３    電源線
１４、１５  羽
１４ａ、１５ｂ  軸筒
１６    回転軸
１７    筒部
１８    コネクタ
【図１】
2016191287.tif 000003
【図２】
2016191287.tif 000004
【図３】
2016191287.tif 000005
【図４】
2016191287.tif 000006
【図５】
2016191287.tif 000007
【図６】
2016191287.tif 000008
【図７】
2016191287.tif 000009